(57)【要約】      （修正有）【課題】薄型・低背でありながら、十分なアイレリーフを確保し、アイポイントから目を上下左右にずらした場合でも収差を良好に補正した像を観測出来るファインダー用接眼光学系、及びそれを用いた撮像装置を提供する。【解決手段】物体側から射出側へ順に、射出側に凸面を向けた形状の正の屈折力を有する第１レンズ１４０と、物体側に凹面を向けた形状の負の屈折力を有する第２レンズ１５０と、射出側に凸面を向けた形状の正の屈折力を有する第３レンズ１６０と、カバーガラス１２０と、より構成され、第１および第２レンズは両面が非球面であり、第１、第２、第３のレンズは視度調整のために光軸に沿って移動し、かつｆを接眼光学系全系の焦点距離、Hを映像表示面の対角長、カバーガラス射出側の面より目までの距離をthi12としたときに、以下の条件式（１）、（２）を満足する。0.5＜H/f＜0.7・・・（１）、thi12≧17.0・・・（２）【選択図】図１
2014025974.tif 000002
【特許請求の範囲】
【請求項１】
物体側から射出側へ順に、射出側に凸面を向けた形状の正の屈折力を有する第１レンズと、物体側に凹面を向けた形状の負の屈折力を有する第２レンズと、射出側に凸面を向けた形状の正の屈折力を有する第３レンズと、カバーガラスと、より構成され、前記第１および第２レンズは両面が非球面であり、前記第１、第２、第３のレンズは視度調整のために光軸に沿って移動し、以下の条件式（１）、（２）を満足するファインダー用接眼光学系。
0.5 ＜ H/f ＜ 0.7      ・・・（１）
thi12 ≧ 17.0   ・・・（２）
ただし、
f：接眼光学系全系の焦点距離
H：映像表示面の対角長
thi12：カバーガラス射出側の面より目までの距離
【請求項２】
以下の条件式（３）、（４）、（５）を満足する請求項１に記載のファインダー用接眼光学系。
0.9 ＜ f1/f ＜ 1.8         ・・・（３）
-1.0 ＜ f2/f ＜ -0.6       ・・・（４）
0.6 ＜ f3/f ＜ 0.9          ・・・（５）
ただし、
f1：第１レンズの焦点距離
f2：第２レンズの焦点距離
f3：第３レンズの焦点距離
【請求項３】
前記映像表示面からカバーガラス射出側の面までの距離をLとしたときに、以下の条件式（６）を満足する請求項１もしくは２に記載のファインダー用接眼光学系。
1.2 ＜ L/f ＜ 1.5        ・・・（６）
【請求項４】
前記映像表示面から第１レンズ物体側頂点までの光学的距離で、視度調整時にもっとも短くなるときの光学的距離をbf(min)としたときに、以下の条件式（７）を満足する請求項１から３のいずれかに記載のファインダー用接眼光学系。
6.6 ＜ bf(min) ＜ 10.2        ・・・（７）
【請求項５】
以下の条件式（８）を満足する請求項１から４に記載のファインダー用接眼光学系。
-2.2 ＜f1/f2 ＜ -1.2        ・・・（８）
【請求項６】
前記第１から第５請求項のいずれかに記載のファインダー用接眼光学系と、映像を表示する表示面を持つ映像表示素子を有し、前記ファインダー用接眼光学系は、前記映像表示素子の表示面に表示された映像を拡大して視認可能とするファインダーシステム。
【請求項７】
前記第６請求項に記載のファインダーシステムと、撮像光学系と、当該撮像光学系により形成される光学像を電気信号に変換する撮像素子とを備え、当該撮像素子で撮像した映像を前記映像表示素子に出力して、前記ファインダー用接眼光学系にて視認可能とする撮像装置。
【発明の詳細な説明】
【技術分野】
【０００１】
本発明は、物体を拡大して肉眼で観察する接眼光学系及びそれを用いた撮像装置に関する。例えばデジタルカメラやビデオカメラ等に用いられる電子ビューファインダーに用いられる接眼光学系およびそれを用いた撮像装置に関する。
【背景技術】
【０００２】
カメラ等の撮像装置に用いるファインダー用接眼光学系として、装置自体の小型化に伴って薄型・低背であることが求められている。更に、ファインダーを介した被写体の観測がし易いように、十分なアイレリーフを確保し、且つ良好な像性能を有することが必要となる。
【０００３】
そこで、従来は特許文献１に開示されるような、物体側（表示面側）から射出側（射出瞳側）に向かって順に、正レンズ、負レンズ、正レンズの３枚のレンズで構成したタイプの接眼光学系が提案されている。このような正負正の屈折力配置としたトリプレットタイプの接眼光学系は、少ないレンズ枚数でありながら球面収差などの収差補正が行ないやすく、高性能化に有利となる。
【先行技術文献】
【特許文献】
【０００４】
【特許文献１】特開２００２−０８２２９０号公報
【発明の概要】
【発明が解決しようとする課題】
【０００５】
しかしながら、特許文献１に開示された接眼光学系は、全系の焦点距離が長く、表示面を含めた光学系全体の小型化や視野角の確保という面において不利となる。
【０００６】
また、アイポイントから目を上下左右にずらした際に画像が著しく劣化してしまう。
【０００７】
本発明は、上述の課題に鑑み、薄型・低背でありながら、十分なアイレリーフを確保し、更にアイポイントから目を上下左右にずらした場合でも収差を良好に補正した像を観測することが出来るファインダー用接眼光学系及びそれを用いた撮像装置の提供を目的とするものである。
【課題を解決するための手段】
【０００８】
上記課題を解決するため、本発明のファインダー用接眼光学系は、物体側から射出側へ順に、射出側に凸面を向けた形状の正の屈折力を有する第１レンズと、物体側に凹面を向けた形状の負の屈折力を有する第２レンズと、射出側に凸面を向けた形状の正の屈折力を有する第３レンズと、カバーガラスと、より構成され、前記第１および第２レンズは両面が非球面であり、前記第１、第２、第３のレンズは視度調整のために光軸に沿って移動し、かつｆを前記接眼光学系全系の焦点距離、Hを前記映像表示面の対角長、カバーガラス射出側の面より目までの距離をthi12としたときに、以下の条件式（１）、（２）を満足することを特徴とする。
【０００９】
0.5 ＜ H/f ＜ 0.7      ・・・（１）
thi12 ≧ 17.0   ・・・（２）
好適には、映像を表示する表示面を持つ映像表示素子を更に有し、前記ファインダー用接眼光学系は、前記映像表示素子の表示面に表示された映像を拡大して視認可能する。
更に好適には、前記第１、第２、第３レンズの各焦点距離をそれぞれf1、f2、f3としたときに、以下の条件式（３）、（４）、（５）を満足する。
【００１０】
0.9 ＜ f1/f ＜ 1.8         ・・・（３）
-1.0 ＜ f2/f ＜ -0.6       ・・・（４）
0.6 ＜ f3/f ＜ 0.9          ・・・（５）
更に好適には、前記映像表示面からカバーガラス射出側の面までの距離をLとしたときに、以下の条件式（６）を満足する。
【００１１】
1.2 ＜ L/f ＜ 1.5        ・・・（６）
更に好適には、前記映像表示面から第１レンズ物体側頂点までの光学的距離で、視度調整時にもっとも短くなるときの光学的距離をbf(min)としたときに、以下の条件式（７）を満足する。
【００１２】
6.6 ＜ bf(min) ＜ 10.2        ・・・（７）
更に好適には、以下の条件式（８）を満足する。
【００１３】
-2.2 ＜f1/f2 ＜ -1.2        ・・・（８）
また、上記課題を解決するため、本発明の撮像装置は、撮像光学系と、当該撮像光学系により形成される光学像を電気信号に変換する撮像素子とを備え、当該撮像素子で撮像した映像を前記映像表示素子に出力して、上述のいずれかのファインダー用接眼光学系にて視認可能とする。
【発明の効果】
【００１４】
本発明によれば、薄型・低背でありながら、十分なアイレリーフを確保し、良好に補正された像を観測することが出来るファインダー用接眼光学系を提供することができる。
【図面の簡単な説明】
【００１５】
【図１】本実施形態のファインダー用接眼光学系の基本構成、およびその各要素に対して付与した面番号を示す図である。
【図２】実施例１ において採用したファインダー用接眼光学系の構成を示す図である。
【図３】実施例１ において、球面収差、非点収差、および歪曲収差を示す収差図である。
【図４】実施例２ において採用したファインダー用接眼光学系の構成を示す図である。
【図５】実施例２ において、球面収差、非点収差、および歪曲収差を示す収差図である。
【図６】実施例３ において採用したファインダー用接眼光学系の構成を示す図である。
【図７】実施例３ において、球面収差、非点収差、および歪曲収差を示す収差図である。
【図８】実施例４ において採用したファインダー用接眼光学系の構成を示す図である。
【図９】実施例４ において、球面収差、非点収差、および歪曲収差を示す収差図である。
【図１０】実施例５ において採用したファインダー用接眼光学系の構成を示す図である。
【図１１】実施例５ において、球面収差、非点収差、および歪曲収差を示す収差図である。
【図１２】実施例６ において採用したファインダー用接眼光学系の構成を示す図である。
【図１３】実施例６ において、球面収差、非点収差、および歪曲収差を示す収差図である。
【図１４】実施例７ において採用したファインダー用接眼光学系の構成を示す図である。
【図１５】実施例７ において、球面収差、非点収差、および歪曲収差を示す収差図である。
【図１６】実施例８ において採用したファインダー用接眼光学系の構成を示す図である。
【図１７】実施例８ において、球面収差、非点収差、および歪曲収差を示す収差図である。
【図１８】実施例９ において採用したファインダー用接眼光学系の構成を示す図である。
【図１９】実施例９ において、球面収差、非点収差、および歪曲収差を示す収差図である。
【図２０】実施例１０ において採用したファインダー用接眼光学系の構成を示す図である。
【図２１】実施例１０ において、球面収差、非点収差、および歪曲収差を示す収差図である。
【図２２】本発明の実施形態のファインダーシステムの基本構成を示す図である。
【図２３】本発明の実施形態の撮像装置の基本構成を示す図である。
【発明を実施するための形態】
【００１６】
以下、図面を参照しながら、本発明の実施形態を詳細に説明する。図１に実施の形態のファインダー用接眼光学系の構成を光学断面で示す。これらの実施形態は物体側から順に、映像表示素子の表示面１１０、パネルカバーガラス１２０、防塵カバーガラス１３０、第１レンズ１４０、第２レンズ１５０、第３レンズ１６０、ファインダーカバーガラス１７０が配置される３枚レンズ構成のファインダー用接眼光学系１００である。
【００１７】
パネルカバーガラス１２０からアイポイント１８０まで順に各要素の面に対して記されている数字は面番号を示している。
【００１８】
映像表示素子は、撮像装置が撮像した画像を表示するための素子で、例えば液晶やＥＬ（Electroluminescence）といったようなデバイスが用いられる。
【００１９】
本発明を実施したファインダー用接眼光学系のレンズ系は、物体側から射出側へ順に、射出側に凸面を向けた形状の正の屈折力を有する第１レンズと、物体側に凹面を向けた形状の負の屈折力を有する第２レンズと、射出側に凸面を向けた形状の正の屈折力を有する第３レンズの３枚の単レンズより構成されている。
【００２０】
第１レンズを射出側に凸面を向ける形状とし、かつ、両面を非球面で構成することにより、コマ収差および歪曲収差の補正に有利となる。
【００２１】
第２レンズを物体側に凹面を向ける形状とし、かつ、両面を非球面で構成することにより、十分な視野角の確保や、射出瞳サイズの確保に有利となる。そして、コマ収差、像面湾曲、非点収差等の諸収差を良好に補正することが可能となる。
【００２２】
第３レンズを射出側に凸面を向ける形状とすることにより、球面収差の補正に有利となる。また、両面を球面とすることによりコストを抑えることができる。
【００２３】
加えて、視度調整は第１、２、３のレンズを光軸方向に移動させて行ない、視度によらず良好に諸収差を補正している。
【００２４】
条件式（１）は接眼光学系の全系の焦点距離と映像表示面の対角長の比を規定した式である。条件式（１）の上限値を超えた場合、コマ収差の補正が困難となる。逆に下限値を超えた場合、表示映像の観測される大きさが小さくなり好ましくない。
【００２５】
条件式（２）はカバーガラス射出側の面より目までの距離を規定した式である。条件式（２）の下限値を超えた場合、レンズに目を近づけないと視野全体を見渡すことができない。
【００２６】
条件式（３）は接眼光学系の全系の焦点距離に対する第１レンズの焦点距離の比を規定した式である。条件式（３）の上限値を超えた場合、第１レンズと第２レンズとの間隔が大きくなりコンパクト化に不利となる。逆に下限値を超えた場合、第１レンズの屈折力が大きくなり歪曲収差の補正に不利となる。
【００２７】
条件式（４）は接眼光学系の全系の焦点距離に対する第２レンズの焦点距離の比を規定した式である。条件式（４）の上限値を超えた場合、第２レンズの屈折力が大きくなるためコマ収差、非点収差、像面湾曲の補正が困難となる。逆に下限値を超えた場合、第２レンズの屈折力が小さくなりためコマ収差、非点収差、像面湾曲の補正が困難となる。
【００２８】
条件式（５）は接眼光学系の全系の焦点距離に対する第３レンズの焦点距離の比を規定した式である。条件式（５）の上限値を超えた場合、第３レンズの屈折力が小さくなるためコンパクト化に不利となる。逆に下限値を超えた場合、第３レンズの屈折力が大きくなりため球面収差、コマ収差、非点収差、像面湾曲の補正が困難となる。
【００２９】
条件式（６）は接眼光学系の全系の焦点距離に対する接眼光学系の全長（前記映像表示面から第３レンズ射出側の面頂点までの距離）の比を規定した式である。条件式（６）の上限値を超えた場合、接眼光学系が大きくなり好ましくない。逆に下限値を超えた場合、アイポイントを確保することが困難となる。
【００３０】
条件式（７）は接眼光学系のバックフォーカス（映像表示面から第１レンズ物体側頂点までの光学的距離）を規定した式である。条件式（７）の上限値を超えた場合、接眼光学系が大きくなり好ましくない。逆に下限値を超えた場合、ゴミの付着を防ぐ防塵カバーガラスを入れるスペースを確保することが困難となる。
【００３１】
条件式（８）は第1レンズと第2レンズの比を規定した式である。条件式（８）の上限値および下限値を超えた場合、像面湾曲およびコマ収差が発生し、アイポイントから目を上下左右にずらした際に画像が著しく劣化してしまう。
【００３２】
以下に、本発明の好ましい実施の形態を、実施例１から１０の数値実施例及び図面によって具体的に示す。１から１０の数値実施例において、接眼光学系全系の焦点距離、映像表示面の対角長、各レンズ単体の焦点距離、接眼光学系の全長は次の表１に記載の通りである。また、同じく１から１０の数値実施例において、条件式（１）乃至（８）の数値データは、次の表２に記載の値になる。
【００３３】
【表１】
2014025974.tif 000003
【００３４】
【表２】
2014025974.tif 000004
【００３５】
各数値実施例において、物体側より順に第ｉ番目の面の曲率半径、第ｉ番目の面と第ｉ＋１番目の面の間隔（レンズ厚あるいは空気間隔）、第ｉ番目のレンズの材質の屈折率とアッベ数を記載する。また、各数値実施例において瞳径はφ４ｍｍで設定する。
【００３６】
非球面形状は、光軸方向にＹ軸、光軸と垂直方向にｈ軸、光の進行方向を正とし、Ｒを近軸曲率半径、各非球面係数をＫ、Ａ、Ｂ、Ｃ、Ｄとしたとき
【００３７】
【数１】
2014025974.tif 000005
【００３８】
なる式で表している。
【００３９】
面データ中、面番号の右側に付されたアスタリスク“*”は、そのレンズ面が非球面形状であることを示している。
【００４０】
また、収差図において（ａ）は−１ディオプターの視度調整時、（ｂ）は数値実施例１から５においては−４ディオプターで数値実施例６から１０においては−３ディオプターの視度調整時、（ｃ）は＋１ディオプターの視度調整時の球面収差（LONGITUDINAL SPHERICAL ABER.）、非点収差（ASTIGMATIC FIELD CURVES）、歪曲収差（DISTORTION）をそれぞれ示す。
【００４１】
各実施例によれば、十分なアイレリーフを確保しつつ、カメラを薄型化することを可能とし、画像を大きく、かつ、良好に補正された像で観測することが出来るファインダー用接眼光学系を実現することができる。
【実施例１】
【００４２】
実施の形態１におけるレンズ系の基本構成は図２に示され、各数値データ（設定値）は表３、表４、表５に、球面収差、非点収差、および歪曲収差を示す収差図は図３にそれぞれ示される。
【００４３】
図２に示すように、第１レンズは正の屈折力を有する射出側に凸面を向けた形状、第２レンズは負の屈折力を有する物体側に凹面を向けた形状、第３レンズは正の屈折力を有する射出側に凸面を向けた形状で、第１レンズと第２レンズはそれぞれ両面に非球面を形成する。
【００４４】
表３は、ファインダー用接眼光学系の各面番号に対応した各カバーガラス、各レンズの曲率半径、面間隔、屈折率、およびアッべ数を示している。表中の記号*は非球面の面を表している（以下の実施例においても同様）。表４は所定面の非球面係数を示している。表５は視度調整によって可変する各面間隔の値を示している。
＜数値実施例１＞
【００４５】
【表３】
2014025974.tif 000006
【００４６】
【表４】
2014025974.tif 000007
【００４７】
【表５】
2014025974.tif 000008
【００４８】
図３は球面収差、非点収差、歪曲収差を、それぞれ（ａ）は−１ディオプター時、（ｂ）は−４ディオプター時、（ｃ）は＋１ディオプター時について示している。
【００４９】
図３の球面収差図において縦軸は瞳の高さ、横軸はフォーカス位置を、非点収差図において縦軸は光軸からのパネル高さ、横軸はフォーカス位置を、歪曲収差図において縦軸は光軸からのパネル高さ、横軸は歪量をそれぞれ示している。
【００５０】
実施例１によれば、第１レンズの焦点距離が長いにも関わらず、条件式（３）の上限値を超えないようにすることにより、第１レンズと第２レンズの間隔が大きくなりすぎず、コンパクト化を図りつつ、諸収差が良好に補正され、良好な画像を観察可能なファインダー用接眼光学系が得られる。
【実施例２】
【００５１】
実施の形態２におけるレンズ系の基本構成は図４に示され、各数値データ（設定値）は表６、表７、表８に、球面収差、非点収差、および歪曲収差を示す収差図は図５にそれぞれ示される。
【００５２】
図４に示すように、第１レンズは正の屈折力を有する射出側に凸面を向けた形状、第２レンズは負の屈折力を有する物体側に凹面を向けた形状、第３レンズは正の屈折力を有する射出側に凸面を向けた形状で、第１レンズと第２レンズはそれぞれ両面に非球面を形成する。
【００５３】
表６は、ファインダー用接眼光学系の各面番号に対応した各カバーガラス、各レンズの曲率半径、面間隔、屈折率、およびアッべ数を示している。表中の記号*は非球面の面を表している。表７は所定面の非球面係数を示している。表８は視度調整によって可変する各面間隔の値を示している。
＜数値実施例２＞
【００５４】
【表６】
2014025974.tif 000009
【００５５】
【表７】
2014025974.tif 000010
【００５６】
【表８】
2014025974.tif 000011
【００５７】
図５は球面収差、非点収差、歪曲収差を、それぞれ（ａ）は−１ディオプター時、（ｂ）は−４ディオプター時、（ｃ）は＋１ディオプター時について示している。
【００５８】
図５の球面収差図において縦軸は瞳の高さ、横軸はフォーカス位置を、非点収差図において縦軸は光軸からのパネル高さ、横軸はフォーカス位置を、歪曲収差図において縦軸は光軸からのパネル高さ、横軸は歪量をそれぞれ示している。
【００５９】
実施例２によれば、第３レンズの焦点距離が短いにも関わらず、条件式（５）の下限値を超えないようにすることにより、第３レンズの屈折力が大きくなりすぎず、特に球面収差、コマ収差、非点収差、像面湾曲（非点収差特性図における特性曲線の倒れに現れる）等の諸収差が良好に補正され、良好な画像を観察可能なファインダー用接眼光学系が得られる。
【実施例３】
【００６０】
実施の形態３におけるレンズ系の基本構成は図６に示され、各数値データ（設定値）は表９、表１０、表１１に、球面収差、非点収差、および歪曲収差を示す収差図は図７にそれぞれ示される。
【００６１】
図６に示すように、第１レンズは正の屈折力を有する射出側に凸面を向けた形状、第２レンズは負の屈折力を有する物体側に凹面を向けた形状、第３レンズは正の屈折力を有する射出側に凸面を向けた形状で、第１レンズと第２レンズはそれぞれ両面に非球面を形成する。
【００６２】
表９は、ファインダー用接眼光学系の各面番号に対応した各カバーガラス、各レンズの曲率半径、面間隔、屈折率、およびアッべ数を示している。表中の記号*は非球面の面を表している。表１０は所定面の非球面係数を示している。表１１は視度調整によって可変する各面間隔の値を示している。
＜数値実施例３＞
【００６３】
【表９】
2014025974.tif 000012
【００６４】
【表１０】
2014025974.tif 000013
【００６５】
【表１１】
2014025974.tif 000014
【００６６】
図７は球面収差、非点収差、歪曲収差を、それぞれ（ａ）は−１ディオプター時、（ｂ）は−４ディオプター時、（ｃ）は＋１ディオプター時について示している。
【００６７】
図７の球面収差図において縦軸は瞳の高さ、横軸はフォーカス位置を、非点収差図において縦軸は光軸からのパネル高さ、横軸はフォーカス位置を、歪曲収差図において縦軸は光軸からのパネル高さ、横軸は歪量をそれぞれ示している。
【００６８】
実施例３によれば、第１レンズの焦点距離が長く、第２レンズの焦点距離が短いにも関わらず、条件式（３）の下限値および条件式（４）の上限値を超えないようにすることにより、第１レンズの屈折力が小さくなりすぎず歪曲収差が良好に補正され、また、第２レンズの屈折力が大きくなりすぎずコマ収差、非点収差、像面湾曲が良好に補正され、良好な画像を観察可能なファインダー用接眼光学系が得られる。
【実施例４】
【００６９】
実施の形態４におけるレンズ系の基本構成は図８に示され、各数値データ（設定値）は表１２、表１３、表１４に、球面収差、非点収差、および歪曲収差を示す収差図は図９にそれぞれ示される。
【００７０】
図８に示すように、第１レンズは正の屈折力を有する射出側に凸面を向けた形状、第２レンズは負の屈折力を有する物体側に凹面を向けた形状、第３レンズは正の屈折力を有する射出側に凸面を向けた形状で、第１レンズと第２レンズはそれぞれ両面に非球面を形成する。
【００７１】
表１２は、ファインダー用接眼光学系の各面番号に対応した各カバーガラス、各レンズの曲率半径、面間隔、屈折率、およびアッべ数を示している。表中の記号*は非球面の面を表している。表１３は所定面の非球面係数を示している。表１４は視度調整によって可変する各面間隔の値を示している。
＜数値実施例４＞
【００７２】
【表１２】
2014025974.tif 000015
【００７３】
【表１３】
2014025974.tif 000016
【００７４】
【表１４】
2014025974.tif 000017
【００７５】
図９は球面収差、非点収差、歪曲収差を、それぞれ（ａ）は−１ディオプター時、（ｂ）は−４ディオプター時、（ｃ）は＋１ディオプター時について示している。
【００７６】
図９の球面収差図において縦軸は瞳の高さ、横軸はフォーカス位置を、非点収差図において縦軸は光軸からのパネル高さ、横軸はフォーカス位置を、歪曲収差図において縦軸は光軸からのパネル高さ、横軸は歪量をそれぞれ示している。
【００７７】
実施例４によれば、第２レンズの焦点距離が長いにも関わらず、条件式（４）の下限値を超えないようにすることにより、第２レンズの屈折力が大きくなりすぎず、コマ収差、非点収差、像面湾曲が良好に補正され、良好な画像を観察可能なファインダー用接眼光学系が得られる。
【実施例５】
【００７８】
実施の形態５におけるレンズ系の基本構成は図１０に示され、各数値データ（設定値）は表１５、表１６、表１７に、球面収差、非点収差、および歪曲収差を示す収差図は図１１にそれぞれ示される。
【００７９】
図１０に示すように、第１レンズは正の屈折力を有する射出側に凸面を向けた形状、第２レンズは負の屈折力を有する物体側に凹面を向けた形状、第３レンズは正の屈折力を有する射出側に凸面を向けた形状で、第１レンズと第２レンズはそれぞれ両面に非球面を形成する。
【００８０】
表１５は、ファインダー用接眼光学系の各面番号に対応した各カバーガラス、各レンズの曲率半径、面間隔、屈折率、およびアッべ数を示している。表中の記号*は非球面の面を表している。表１６は所定面の非球面係数を示している。表１７は視度調整によって可変する各面間隔の値を示している。
＜数値実施例５＞
【００８１】
【表１５】
2014025974.tif 000018
【００８２】
【表１６】
2014025974.tif 000019
【００８３】
【表１７】
2014025974.tif 000020
【００８４】
図１１は球面収差、非点収差、歪曲収差を、それぞれ（ａ）は−１ディオプター時、（ｂ）は−４ディオプター時、（ｃ）は＋１ディオプター時について示している。
【００８５】
図１１の球面収差図において縦軸は瞳の高さ、横軸はフォーカス位置を、非点収差図において縦軸は光軸からのパネル高さ、横軸はフォーカス位置を、歪曲収差図において縦軸は光軸からのパネル高さ、横軸は歪量をそれぞれ示している。
【００８６】
実施例５によれば、第３レンズの焦点距離が長いにも関わらず、条件式（５）の上限値を超えないことにより、第３レンズの屈折力が小さくなりすぎず、コンパクト化を図りつつ、諸収差が良好に補正され、また、条件式（８）の上限値を超えないことにより、アイポイントから目を上下左右にずらしても良好な画像を観察可能なファインダー用接眼光学系が得られる。
【実施例６】
【００８７】
実施の形態６におけるレンズ系の基本構成は図１２に示され、各数値データ（設定値）は表１８、表１９、表２０に、球面収差、非点収差、および歪曲収差を示す収差図は図１３にそれぞれ示される。
【００８８】
図１２に示すように、第１レンズは正の屈折力を有する射出側に凸面を向けた形状、第２レンズは負の屈折力を有する物体側に凹面を向けた形状、第３レンズは正の屈折力を有する射出側に凸面を向けた形状で、第１レンズと第２レンズはそれぞれ両面に非球面を形成する。
【００８９】
表１８は、ファインダー用接眼光学系の各面番号に対応した各カバーガラス、各レンズの曲率半径、面間隔、屈折率、およびアッべ数を示している。表中の記号*は非球面の面を表している。表１９は所定面の非球面係数を示している。表２０は視度調整によって可変する各面間隔の値を示している。
＜数値実施例６＞
【００９０】
【表１８】
2014025974.tif 000021
【００９１】
【表１９】
2014025974.tif 000022
【００９２】
【表２０】
2014025974.tif 000023
【００９３】
図１３は球面収差、非点収差、歪曲収差を、それぞれ（ａ）は−１ディオプター時、（ｂ）は−３ディオプター時、（ｃ）は＋１ディオプター時について示している。
【００９４】
図１３の球面収差図において縦軸は瞳の高さ、横軸はフォーカス位置を、非点収差図において縦軸は光軸からのパネル高さ、横軸はフォーカス位置を、歪曲収差図において縦軸は光軸からのパネル高さ、横軸は歪量をそれぞれ示している。
【００９５】
実施例６によれば、第１レンズの焦点距離が長く、第３レンズの焦点距離が短いにも関わらず、条件式（３）の上限値を超えないようにすることにより、第１レンズの屈折力が小さくなりすぎず、コンパクト化を図ることができ、また、条件式（５）の下限値を超えないようにすることにより、第３レンズの屈折力が大きくなりすぎず、特に球面収差、コマ収差、非点収差、像面湾曲等の諸収差が良好に補正され、また、条件式（８）の下限値を超えないことにより、アイポイントから目を上下左右にずらしてもアイポイントから目を上下左右にずらしても良好な画像を観察可能なファインダー用接眼光学系が得られる。
【実施例７】
【００９６】
実施の形態７におけるレンズ系の基本構成は図１４に示され、各数値データ（設定値）は表２１、表２２、表２３に、球面収差、非点収差、および歪曲収差を示す収差図は図１５にそれぞれ示される。
【００９７】
図１４に示すように、第１レンズは正の屈折力を有する射出側に凸面を向けた形状、第２レンズは負の屈折力を有する物体側に凹面を向けた形状、第３レンズは正の屈折力を有する射出側に凸面を向けた形状で、第１レンズと第２レンズはそれぞれ両面に非球面を形成する。
【００９８】
表２１は、ファインダー用接眼光学系の各面番号に対応した各カバーガラス、各レンズの曲率半径、面間隔、屈折率、およびアッべ数を示している。表中の記号*は非球面の面を表している。表２２は所定面の非球面係数を示している。表２３は視度調整によって可変する各面間隔の値を示している。
＜数値実施例７＞
【００９９】
【表２１】
2014025974.tif 000024
【０１００】
【表２２】
2014025974.tif 000025
【０１０１】
【表２３】
2014025974.tif 000026
【０１０２】
図１５は球面収差、非点収差、歪曲収差を、それぞれ（ａ）は−１ディオプター時、（ｂ）は−３ディオプター時、（ｃ）は＋１ディオプター時について示している。
【０１０３】
図１５の球面収差図において縦軸は瞳の高さ、横軸はフォーカス位置を、非点収差図において縦軸は光軸からのパネル高さ、横軸はフォーカス位置を、歪曲収差図において縦軸は光軸からのパネル高さ、横軸は歪量をそれぞれ示している。
【０１０４】
実施例７によれば、第２レンズの焦点距離が短いにも関わらず、条件式（４）の上限値を超えないようにすることにより、第２レンズの屈折力が大きくなりすぎず、コマ収差、非点収差、像面湾曲が良好に補正され、良好な画像を観察可能なファインダー用接眼光学系が得られる。
【実施例８】
【０１０５】
実施の形態８におけるレンズ系の基本構成は図１６に示され、各数値データ（設定値）は表２４、表２５、表２６に、球面収差、非点収差、および歪曲収差を示す収差図は図１７にそれぞれ示される。
【０１０６】
図１６に示すように、第１レンズは正の屈折力を有する射出側に凸面を向けた形状、第２レンズは負の屈折力を有する物体側に凹面を向けた形状、第３レンズは正の屈折力を有する射出側に凸面を向けた形状で、第１レンズと第２レンズはそれぞれ両面に非球面を形成する。
【０１０７】
表２４は、ファインダー用接眼光学系の各面番号に対応した各カバーガラス、各レンズの曲率半径、面間隔、屈折率、およびアッべ数を示している。表中の記号*は非球面の面を表している。表２５は所定面の非球面係数を示している。表２６は視度調整によって可変する各面間隔の値を示している。
＜数値実施例８＞
【０１０８】
【表２４】
2014025974.tif 000027
【０１０９】
【表２５】
2014025974.tif 000028
【０１１０】
【表２６】
2014025974.tif 000029
【０１１１】
図１７は球面収差、非点収差、歪曲収差を、それぞれ（ａ）は−１ディオプター時、（ｂ）は−３ディオプター時、（ｃ）は＋１ディオプター時について示している。
【０１１２】
図１７の球面収差図において縦軸は瞳の高さ、横軸はフォーカス位置を、非点収差図において縦軸は光軸からのパネル高さ、横軸はフォーカス位置を、歪曲収差図において縦軸は光軸からのパネル高さ、横軸は歪量をそれぞれ示している。
【０１１３】
実施例８によれば、第１レンズの焦点距離が短いにも関わらず、条件式（３）の下限値を超えないようにすることにより、第１レンズの屈折力が大きくなりすぎず、歪曲収差が良好に補正され、良好な画像を観察可能なファインダー用接眼光学系が得られる。
【実施例９】
【０１１４】
実施の形態９におけるレンズ系の基本構成は図１８に示され、各数値データ（設定値）は表２７、表２８、表２９に、球面収差、非点収差、および歪曲収差を示す収差図は図１９にそれぞれ示される。
【０１１５】
図１８に示すように、第１レンズは正の屈折力を有する射出側に凸面を向けた形状、第２レンズは負の屈折力を有する物体側に凹面を向けた形状、第３レンズは正の屈折力を有する射出側に凸面を向けた形状で、第１レンズと第２レンズはそれぞれ両面に非球面を形成する。
【０１１６】
表２７は、ファインダー用接眼光学系の各面番号に対応した各カバーガラス、各レンズの曲率半径、面間隔、屈折率、およびアッべ数を示している。表中の記号*は非球面の面を表している。表２８は所定面の非球面係数を示している。表２９は視度調整によって可変する各面間隔の値を示している。
＜数値実施例９＞
【０１１７】
【表２７】
2014025974.tif 000030
【０１１８】
【表２８】
2014025974.tif 000031
【０１１９】
【表２９】
2014025974.tif 000032
【０１２０】
図１９は球面収差、非点収差、歪曲収差を、それぞれ（ａ）は−１ディオプター時、（ｂ）は−３ディオプター時、（ｃ）は＋１ディオプター時について示している。
【０１２１】
図１９の球面収差図において縦軸は瞳の高さ、横軸はフォーカス位置を、非点収差図において縦軸は光軸からのパネル高さ、横軸はフォーカス位置を、歪曲収差図において縦軸は光軸からのパネル高さ、横軸は歪量をそれぞれ示している。
【０１２２】
実施例９によれば、第２レンズの焦点距離が長く、第３レンズの焦点距離が長いにも関わらず、条件式（４）の下限値を超えないようにすることにより、第２レンズの屈折力が小さくなりすぎず、コマ収差、非点収差、像面湾曲が良好に補正され、良好な画像を観察可能なファインダー用接眼光学系が得られる。
【実施例１０】
【０１２３】
実施の形態１０におけるレンズ系の基本構成は図２０に示され、各数値データ（設定値）は表３０、表３１、表３２に、球面収差、非点収差、および歪曲収差を示す収差図は図２１にそれぞれ示される。
【０１２４】
図２０に示すように、第１レンズは正の屈折力を有する射出側に凸面を向けた形状、第２レンズは負の屈折力を有する物体側に凹面を向けた形状、第３レンズは正の屈折力を有する射出側に凸面を向けた形状で、第１レンズと第２レンズはそれぞれ両面に非球面を形成する。
【０１２５】
表３０は、ファインダー用接眼光学系の各面番号に対応した各カバーガラス、各レンズの曲率半径、面間隔、屈折率、およびアッべ数を示している。表中の記号*は非球面の面を表している。表３１は所定面の非球面係数を示している。表３２は視度調整によって可変する各面間隔の値を示している。
＜数値実施例１０＞
【０１２６】
【表３０】
2014025974.tif 000033
【０１２７】
【表３１】
2014025974.tif 000034
【０１２８】
【表３２】
2014025974.tif 000035
【０１２９】
図２１は球面収差、非点収差、歪曲収差を、それぞれ（ａ）は−１ディオプター時、（ｂ）は−３ディオプター時、（ｃ）は＋１ディオプター時について示している。
【０１３０】
図２１の球面収差図において縦軸は瞳の高さ、横軸はフォーカス位置を、非点収差図において縦軸は光軸からのパネル高さ、横軸はフォーカス位置を、歪曲収差図において縦軸は光軸からのパネル高さ、横軸は歪量をそれぞれ示している。
【０１３１】
実施例１０によれば、条件式（３）、（４）、（５）の上下限値を超えないようにすることにより、表示映像の観測される大きさが小さくなりすぎることなく、バックフォーカス（映像表示面から第１レンズ物体側頂点までの光学的距離）を入れるスペースを確保することができ、良好な画像を観察可能なファインダー用接眼光学系が得られる。
【０１３２】
以上、本実施形態のファインダー用接眼光学系について説明したが、本発明はこれらの実施例に限定されるものではなく、発明の要旨を逸脱しない範囲で種々の変形が可能である。
【０１３３】
本実施形態のファインダー用接眼光学系によれば、映像表示素子を用いたファインダーシステムおよびそれを搭載するカメラ等に好適であり、小型、薄型で高い光学性能のファインダーを備えた撮像装置が実現できる。
【０１３４】
図２２に本発明によるファインダー用接眼光学系１００を用いたファインダーシステム２００の実施形態の断面図を示す。ファインダー用接眼光学系１００および液晶やＥＬ（Electroluminescence）等の映像表示素子２１０は筐体２２０によって位置関係を規定、保持される。
【０１３５】
電気信号として映像表示素子２１０に入力される画像信号が映像表示素子２１０によって可視光の映像に変換されて映像表示素子の表示面１１０に表示され、ファインダー用接眼光学系１００を介して十分なアイレリーフを確保し、収差を良好に補正した像を観測することが可能となる。
【０１３６】
また、ファインダー用接眼光学系１００が薄型・低背であることから、コンパクトなファインダーシステム２００が実現可能となり、様々な撮像装置への応用が期待できる。
【０１３７】
図２３に本発明によるファインダー用接眼光学系１００によって構成されるファインダーシステム２００を用いた撮像装置３００の実施形態の断面図を示す。撮像光学系３１０を介して取り込まれ、ＣＣＤ(Charge Coupled Device)やＣＭＯＳ(Complementary Mental-Oxide Semiconductor device)等の撮像素子３２０の撮像面に結像した被写体像は、撮像素子３２０の光電変換機能によって電気信号に変換される。撮像素子から出力された画像の電気信号は、ＤＳＰ（Digital Signal Processor）等で構成される画像信号処理部３３０によって様々な画像処理が施される。処理が施された画像信号は記録媒体３４０に記録される等の他に、被写体のモニタ用として映像表示素子２１０に出力される。
【０１３８】
映像表示素子２１０に入力された画像信号はファインダーシステム２００によって十分なアイレリーフを確保し、収差を良好に補正した可視光像として観測することが可能となる。
【０１３９】
このファインダーシステム２００はコンパクトに実現可能であるため、組み込む撮像機器の小型可に貢献する。従って撮像機器自体も小型で十分なアイレリーフが確保されて良好な被写体を観測できることで、快適な撮影環境を提供可能となる。
【符号の説明】
【０１４０】
１００，１００Ａ〜１００Ｊ・・・ファインダー用接眼光学系
１１０ ・・・映像表示素子の表示面
１２０ ・・・パネルカバーガラス
１３０ ・・・防塵カバーガラス
１４０ ・・・第１レンズ
１５０ ・・・第２レンズ
１６０ ・・・第３レンズ
１７０ ・・・ファインダーカバーガラス
１８０ ・・・アイポイント
２００ ・・・ファインダーシステム
２１０ ・・・映像表示素子
２２０ ・・・鏡枠
３００ ・・・撮像装置
３１０ ・・・撮像光学系
３２０ ・・・撮像素子
３３０ ・・・画像信号処理部
３４０ ・・・記録媒体
【図１】
2014025974.tif 000036
【図２】
2014025974.tif 000037
【図３】
2014025974.tif 000038
【図４】
2014025974.tif 000039
【図５】
2014025974.tif 000040
【図６】
2014025974.tif 000041
【図７】
2014025974.tif 000042
【図８】
2014025974.tif 000043
【図９】
2014025974.tif 000044
【図１０】
2014025974.tif 000045
【図１１】
2014025974.tif 000046
【図１２】
2014025974.tif 000047
【図１３】
2014025974.tif 000048
【図１４】
2014025974.tif 000049
【図１５】
2014025974.tif 000050
【図１６】
2014025974.tif 000051
【図１７】
2014025974.tif 000052
【図１８】
2014025974.tif 000053
【図１９】
2014025974.tif 000054
【図２０】
2014025974.tif 000055
【図２１】
2014025974.tif 000056
【図２２】
2014025974.tif 000057
【図２３】
2014025974.tif 000058